(57)【特許請求の範囲】
【請求項１】
一又は複数の素線により形成された芯線部を有する錫含有電線と、錫非含有電線との分別方法であって、
前記錫含有電線の各素線のうちの少なくとも１つを、強磁性体を含む素線により形成する一方、
前記錫非含有電線を、強磁性体を除く材料により形成し、
これら錫含有電線と錫非含有電線の廃材の回収に際して、
磁石が強磁性体を引き寄せる性質を利用して、前記錫含有電線と錫非含有電線とを分別して回収する電線の分別方法。
【請求項２】
複数の素線により形成された芯線部を有する電線であって、
前記各素線のうちの一部を鉄コア層の外周に錫めっきを形成した鉄素線により形成し、前記各素線のうちの他部を銅コア層の外周に錫めっきを形成した銅素線により形成した電線。
【発明の詳細な説明】
【０００１】
【発明の属する技術分野】
この発明は、錫を含有する電線と錫を含有しない電線とを分別して回収するための電線の分別方法及び電線に関する。
【０００２】
【従来の技術】
一般的に、電線には、錫を含有する電線（錫含有電線）と錫を含有しない電線（錫非含有電線）とがある。
【０００３】
ここで錫含有電線としては、例えば、その電線端部と端子間の接触抵抗の上昇を抑えたり、両者間の瞬断を防止すべく、その電線の芯線部に用いられる素線に、錫めっきが施された銅素線を用いたものがある。また、その芯線部周囲のノイズシールド層に、錫めっき線からなる編組を用いたものもある。
【０００４】
一方、錫非含有電線としては、上述の錫含有電線以外の電線であり、即ち、錫めっきを施さない銅素線により芯線部を形成したものであって、その芯線部の外周に錫めっき線からなる編組を用いたノイズシールドを施していないものである。
【０００５】
例えば、自動車で用いられる全ての電線のうち、錫含有電線の比率は２〜４％である。
【０００６】
ところで、これらの電線の廃材を回収する場合には、リサイクルの観点から、電線の廃材から錫成分を取り除いて、純銅の廃材としておくのが望ましい。
【０００７】
この場合、電線の廃材に所定の酸処理を施して、素線等に施された錫めっきを除去するという方法がある。しかしながら、この方法では、酸処理により錫、銅ともに溶解してしまうため、電線の素線のように細い線材では、銅の目減りが無視できず、また、錫めっきの除去自体も不完全であるという問題がある。さらに、その処理により新たな廃液が生じ、この廃液の処理が必要となる等の問題もある。
【０００８】
そこで、従来では、電線の被覆層を取り除いて内部の芯線部等を取り出し、この芯線部等を目視により錫めっきが施されたものであるか否かを確認することによって、電線の廃材から錫成分を取り除いていた。
【０００９】
【発明が解決しようとする課題】
しかしながら、上記方法によると、廃材となった電線を一本ずつ手作業で錫含有電線と錫非含有電線とに分別する必要があり、このように非常に煩雑な作業が問題となっていた。
【００１０】
そこで、この発明は上述したような問題を解決すべくなされたもので、錫含有電線と錫非含有電線とをより確実かつ容易に分別することが可能な電線の分別方法及び電線を提供することを目的とする。
【００１１】
【課題を解決するための手段】
上記の課題を解決するため、この発明の請求項１記載の電線分別方法は、一又は複数の素線により形成された芯線部を有する錫含有電線と、錫非含有電線との分別方法であって、前記錫含有電線の各素線のうちの少なくとも１つを、強磁性体を含む素線により形成する一方、前記錫非含有電線を、強磁性体を除く材料により形成し、これら錫含有電線と錫非含有電線の廃材の回収に際して、磁石が強磁性体を引き寄せる性質を利用して、前記錫含有電線と錫非含有電線とを分別して回収する。
【００１３】
さらに、請求項２記載の電線は、複数の素線により形成された芯線部を有する電線であって、前記各素線のうちの一部を鉄コア層の外周に錫めっきを形成した鉄素線により形成し、前記各素線のうちの他部を銅コア層の外周に錫めっきを形成した銅素線により形成している。
【００１４】
【発明の実施の形態】
以下、この発明にかかる一実施形態の電線の分別方法について説明する。
【００１５】
この分別方法は、錫を含有する電線（錫含有電線）と錫を含有しない電線（錫非含有電線）とが廃材となった場合に、これらを分別して回収する方法であり、電線の製造及び使用段階における準備工程と、実際にリサイクル資源として回収する際の分別回収工程とに分けられる。
【００１６】
まず、準備工程では、一又は複数の素線からなる芯線部を有する錫含有電線の各素線のうち、少なくとも一つを鉄等の強磁性体を含む素線により形成しておく。
【００１７】
この錫含有電線についての具体例は後述する。
【００１８】
一方、錫非含有電線は、周知の方法により、強磁性体を除く材料により形成しておく。
【００１９】
例えば、強磁性体を除く材料である銅の線条体である銅素線を一又は複数束ねて芯線部を形成し、この外周に絶縁樹脂製の被覆層を形成したもの等である。
【００２０】
このように形成された錫含有電線及び錫非含有電線は、通常の電線と同様に自動車や一般家庭機器の配線用等に用いられる。
【００２１】
そして、これら自動車や一般家庭機器の廃棄時に、錫含有電線と錫非含有電線の廃材をリサイクル資源として回収することになるが、この分別回収工程は、次のように行う。
【００２２】
まず、廃棄された自動車や一般家庭機器から全ての電線をその他の部分から分けて回収し、回収した全ての電線をそれらが互いに絡まない程度の長さ寸法以下の適度な長さに切断する。
【００２３】
次に、電線切断片の集合物に磁石を近づける。すると、錫含有電線の切断片のみがその内部に含まれる強磁性体の作用で磁石に吸い寄せられ、これにより前記電線切断片の集合物から錫含有電線の切断片のみが除去されて、その後に錫非含有電線の切断片の集合物が得られる。
【００２４】
このように得られた錫非含有電線の切断片の集合物は、金属成分としては、ほぼ純粋に銅のみの廃材である。
【００２５】
以上のように構成された電線の分別方法によると、錫含有電線が強磁性体を含む素線を有しており、錫非含有電線は、強磁性体を除く材料により形成されているため、これら錫含有電線と錫非含有電線の廃材の回収に際して、磁石が強磁性体を引き寄せる性質を利用して、錫含有電線と錫非含有電線とをより確実かつ容易に分別することが可能である。
【００２６】
そして、分別回収工程後に得られる錫非含有電線の切断片の集合物は、金属成分としては、ほぼ純粋に銅のみの廃材であるから、銅資源としてのリサイクルが容易であり、また、リサイクル資源としての価値も高い。
【００２７】
また、このように磁石を利用して行う分別回収は、その自動化も容易である。
【００２８】
錫含有電線についてより具体的に述べると、例えば、図１及び図２に示すような錫含有電線１に形成しておく。
【００２９】
この錫含有電線１は、強磁性体を含む素線として銅クラッド素線３を用いたもので、この銅クラッド素線３が複数束ねられてなる芯線部２の外周に絶縁樹脂製の被覆層９が形成されている。
【００３０】
上記各銅クラッド素線３は、図２に示すように、強磁性体である鉄の線条体である鉄コア層４の外周に銅材がクラッドされて銅クラッド層５が形成され、このさらに外周に錫めっきが施されて錫めっき層６が形成されている。
【００３１】
ここで、鉄コア層４の外周に銅クラッド層５を形成した銅クラッド素線３を用いているのは次の理由による。
【００３２】
即ち、前述したように錫含有電線１の分別回収の際の磁石の吸引力のみを考慮するならば、鉄線条体の上に錫めっきを施せばよいことになる。
【００３３】
しかしながら、鉄は、銅の固有抵抗の３倍以上の固有抵抗を有するため、そのようにすると、電線全体としての電気伝導性に劣ることになり、一般の配線用等の電線として用いるために必要かつ十分な電気伝導性が得られなくなる。
【００３４】
そこで、銅クラッド層５を形成した銅クラッド素線３を用いることによって、一般の配線用等の電線として用いるために必要かつ十分な電気伝導性を確保するようにしたものである。
【００３５】
以上のように構成された錫含有電線１によると、固有抵抗の小さい銅クラッド層５により、この錫含有電線１を配線等に用いるために必要かつ十分な電気伝導性が確保される。一方、廃材を回収する際には、鉄コア層５が磁石に引き寄せられる性質を利用して、より確実かつ容易にこの錫含有電線１を他の錫非含有電線から分別して回収することができる。
【００３６】
なお、図１及び図２に示す錫含有電線１では、芯線部２を構成する銅クラッド素線３は複数であるが、例えば、銅クラッド素線３を１本のみ用いて単素線の錫含有電線を形成することもできる。
【００３７】
また、図３及び図４に示すような錫含有電線１１に形成しておいてもよい。
【００３８】
この錫含有電線１１は、強磁性体を含む素線として鉄素線１３を用いたもので、即ち、単一の鉄素線１３の周囲に複数の銅素線１６が集合配置されてなる芯線部１２の外周に絶縁樹脂製の被覆層１９が形成されている。
【００３９】
上記鉄素線１３は、強磁性体である鉄の線条体である鉄コア層１４の外周に錫めっきが施されて錫めっき層１５が形成されており、また、上記銅素線１６は、銅の線条体である銅コア層１７の外周に錫めっきが施されて錫めっき層１８が形成されている。
【００４０】
この錫含有電線１１では、その複数の素線のうちの全てを鉄素線１３とせずに、その一部を銅素線１６としているのは、上記錫含有電線１の場合と同様の理由による。
【００４１】
以上のように構成された、錫含有電線１１によると、固有抵抗の小さい銅コア層１７を有する銅素線１６により、この錫含有電線１１を配線等に用いるために必要かつ十分な電気伝導性が確保される。一方、廃材を回収する際には、鉄素線１３の鉄コア層１４が磁石に引き寄せられる性質を利用して、より確実かつ容易にこの錫含有電線１１を他の錫非含有電線から分別して回収することができる。
【００４２】
なお、図３及び図４に示す錫含有電線１１では、単一の鉄素線１３の周囲に複数の銅素線１６を集合配置しているが、芯線部１２を構成する複数の素線のうちの一部が鉄素線１３であり、他部が銅素線１６であればよい。
【００４３】
ところで、上述の分別回収において、電線を適度な長さに切断するに際しては、この錫含有電線１１をかなり短寸に切断してしまうと、切断後に鉄素線１３と銅素線１６とが分離してしまい、銅素線１６を他の錫非含有電線から分別できなくなる可能性がある。そこで、錫含有電線１１の切断に際しては、その鉄素線１３と銅素線１６とが互いに分離しない程度の長さ寸法以上に切断するとよい。
【００４４】
【発明の効果】
以上のように、この発明の請求項１記載の電線の分別方法によると、錫含有電線の各素線のうちの少なくとも１つを、強磁性体を含む素線により形成する一方、錫非含有電線を、強磁性体を除く材料により形成し、これら錫含有電線と錫非含有電線の廃材の回収に際して、磁石が強磁性体を引き寄せる性質を利用して、前記錫含有電線と錫非含有電線とを分別して回収しているため、磁石により引き寄せられる錫含有電線が、磁石に引き寄せられない錫非含有電線から、より確実かつ容易に分別されることになる。
【００４６】
さらに、この発明の請求項２記載の電線によると、各素線のうちの一部を鉄コア層の外周に錫めっきを形成した鉄素線により形成し、各素線のうちの他部を銅コア層の外周に錫めっきを形成した銅素線により形成しているため、固有抵抗の小さい銅コア層を有する銅素線により、この電線を配線等に用いるために必要かつ十分な電気伝導性が確保される。一方、廃材を回収する際には、鉄素線の鉄コア層が磁石に引き寄せられる性質を利用して、より確実かつ容易にこの電線を他から分別して回収することができる。
【図面の簡単な説明】
【図１】この発明の一実施形態にかかる錫含有電線を示す断面図である。
【図２】錫含有電線の銅クラッド素線を示す断面図である。
【図３】他の錫含有電線を示す断面図である。
【図４】図４（ａ）は鉄素線を示す断面図、図４（ｂ）は銅素線を示す断面図である。
【符号の説明】
１  錫含有電線
２  芯線部
３  銅クラッド素線
４  鉄コア層
５  銅クラッド層
６  錫めっき層
９  被覆層
【図１】
0003653973.tif 000002
【図２】
0003653973.tif 000003
【図３】
0003653973.tif 000004
【図４】
0003653973.tif 000005